(57)【要約】【課題】作業現場等で組み立て作業を簡単になすことができると共に、フレーム棒材同士の接続強度が高くフレーム装置全体の剛性が高くなり、しかも外観上の体裁もよくなるようにする。【解決手段】互いに離間して平行に配置される複数のフレーム棒材と、前記複数のフレーム棒材の両端に設けられる一対の接続枠体とを備えるフレームユニットであって、  一対の接続枠体は、各フレーム棒材の端部にボルト等の締結具によりそれぞれ連結固定され、前記接続枠体のフレーム棒材連結部間に、該接続枠体をボルトナット等の締結具により他のフレームユニットの接続枠体に接合するための取付孔部が設けられている。【選択図】図１
2008064235.tif 000002
【特許請求の範囲】
【請求項１】
離間して平行に配置される複数のフレーム棒材（４）と、前記複数のフレーム棒材（４）の両端に設けられる一対の接続枠体（５）とを備えるフレームユニットであって、
一対の接続枠体（５）は、各フレーム棒材（４）の端部にボルト等の締結具（１２）によりそれぞれ連結固定され、前記接続枠体（５）のフレーム棒材（４）連結部間に、該接続枠体（５）をボルトナット等の締結具（１３）により他のフレームユニットの接続枠体（５）に接合するための取付孔部（１４）が設けられていることを特徴とするフレームユニット。
【請求項２】
前記ボルト等の締結具（１２）がタッピングねじ（１５）により構成され、前記複数のフレーム棒材（４）の両端部に、タッピング孔（１１）が棒材長手方向にそれぞれ設けられ、前記接続枠体（５）に、複数のフレーム棒材（４）のタッピング孔（１１）に対応して複数の取付孔（１６）が設けられ、接続枠体（５）の外面側に、前記複数の取付孔（１６）に対応して該取付孔（１６）に連通する嵌合凹部（１７）が設けられ、タッピングねじ（１５）を取付孔（１６）を介して接続枠体（５）に挿通すると共にフレーム棒材（４）のタッピング孔（１１）に螺合して締め付けることにより、接続枠体（５）と複数のフレーム棒材（４）とが連結固定され、前記タッピングねじ（１５）の頭部（１５ａ）が接続枠体（５）の外面（５ｂ）から突出しないように嵌合凹部（１７）に嵌合されていることを特徴とする請求項１に記載のフレームユニット。
【請求項３】
前記複数のフレーム棒材（４）が互いに平行に湾曲されていることを特徴とする請求項１又は２に記載のフレームユニット。
【請求項４】
請求項１〜３のいずれかに記載のフレームユニットの接続枠体（５）同士を、前記取付孔部（１４）を利用してボルトナット等の締結具（１３）により接合固定することにより、複数のフレームユニットが順次接続されていることを特徴とするフレーム装置。
【請求項５】
順次接続された複数のフレームユニット（２）のうち両端のフレームユニット（２）の外端の接続枠体（５）に、化粧用枠体（６）がボルトナット等の締結具（１３）により接合固定されていることを特徴とする請求項４に記載のフレーム装置。
【請求項６】
前記ボルトナット等の締結具（１３）は、頭部（１８ａ）に六角凹部（１９）を有する六角ボルト（１８）と該六角ボルト（１８）に螺合するナット（２０）とで構成され、前記一対の接続枠体（５）の取付孔部（１４）は、接続枠体（５）に貫通形成した取付孔（２２）と接続枠体（５）の外面（５ａ）側に前記取付孔（２２）に連通するように設けた嵌合凹部（２３）とで構成され、嵌合凹部（２３）に、前記六角ボルト（１８）の頭部（１８ａ）又はナット（２０）を収納保持するようにしたことを特徴とする請求項４又は５に記載のフレーム装置。
【発明の詳細な説明】
【技術分野】
【０００１】
本発明は、フレームユニット及びフレーム装置に関する。
【背景技術】
【０００２】
展示会場の天井等に設けられる照明ライトを装着するためライト装着用のフレーム装置や、展示棚を構成する棚用のフレーム装置には、パイプ材等の複数のフレーム棒材を溶接により順次接続して、長いフレーム装置を構成するようにしたものがあるが、この場合、作業現場等で複数のフレーム棒材を溶接するのは面倒であるし、溶接により外観上の体裁が悪くなった。また、一度溶接してしまうと、フレーム装置の長さが特定されてしまい、使用した複数のフレーム棒材を他のフレーム装置に使用することが困難になり、汎用性に欠け、不経済になると言う問題があった。
【０００３】
そこで、従来のフレーム装置には、パイプ材等の複数のフレーム棒材を、フレーム棒材の接続端部同士を一対の半割状の継ぎ手により挟持して、ボルト等の締付具により締め付け固定するようにしたものがある（例えば特許文献１）。
【特許文献１】特開２０００−２１３５１３号公報
【発明の開示】
【発明が解決しようとする課題】
【０００４】
しかし、従来の場合、複数のフレーム棒材を接続する箇所毎に、一対の半割状の継ぎ手が必要であり、フレーム装置全体の部品点数が多くなり、作業現場等での組み立て作業が面倒であった。また、複数のフレーム棒材を接続する箇所が独立して点在するため、フレーム棒材同士の接続強度が劣り、フレーム装置全体の剛性に欠けるとういう問題があった。
本発明は上記問題点に鑑み、作業現場等で組み立て作業を簡単になすことができると共に、フレーム棒材同士の接続強度が高くてフレーム装置全体の剛性が高くなり、しかも外観上の体裁もよくなるようにしたものである。
【課題を解決するための手段】
【０００５】
この技術的課題を解決する本発明の技術的手段は、互いに離間して平行に配置される複数のフレーム棒材と、前記複数のフレーム棒材の両端に設けられる一対の接続枠体とを備えるフレームユニットであって、
一対の接続枠体は、各フレーム棒材の端部にボルト等の締結具によりそれぞれ連結固定され、前記接続枠体のフレーム棒材連結部間に、該接続枠体をボルトナット等の締結具により他のフレームユニットの接続枠体に接合するための取付孔部が設けられている点にある。
【０００６】
また、本発明の他の技術的手段は、前記ボルト等の締結具がタッピングねじにより構成され、前記複数のフレーム棒材の両端部に、タッピング孔が棒材長手方向にそれぞれ設けられ、前記接続枠体に、複数のフレーム棒材のタッピング孔に対応して複数の取付孔が設けられ、接続枠体の外面側に、前記複数の取付孔に対応して該取付孔に連通する嵌合凹部が設けられ、タッピングねじを取付孔を介して接続枠体に挿通すると共にフレーム棒材のタッピング孔に螺合して締め付けることにより、接続枠体と複数のフレーム棒材とが連結固定され、前記タッピングねじの頭部が接続枠体の外面から突出しないように嵌合凹部に嵌合されている点にある。
【０００７】
また、本発明の他の技術的手段は、前記複数のフレーム棒材が互いに平行に湾曲されている点にある。
また、本発明の他の技術的手段は、フレームユニットの接続枠体同士を、前記取付孔部を利用してボルトナット等の締結具により接合固定することにより、複数のフレームユニットが順次接続されている点にある。
また、本発明の他の技術的手段は、順次接続された複数のフレームユニットのうち両端のフレームユニットの外端の接続枠体に、化粧用枠体がボルトナット等の締結具により接合固定されている点にある。
【０００８】
また、本発明の他の技術的手段は、前記ボルトナット等の締結具は、頭部に六角凹部を有する六角ボルトと該六角ボルトに螺合するナットとで構成され、前記一対の接続枠体の取付孔部は、接続枠体に貫通形成した取付孔と接続枠体の外面側に前記取付孔に連通するように設けた嵌合凹部とで構成され、嵌合凹部に、前記六角ボルトの頭部又はナットを収納保持するようにした点にある。
【発明の効果】
【０００９】
本発明によれば、作業現場等でフレーム装置の組み立て作業を簡単になすことができると共に、複数本のフレーム棒材を一対の接続枠体で挟んで接合固定した状態になるため、フレーム棒材同士の接続強度が高く、フレーム装置全体の剛性を強くすることができる。しかも、溶接部分が外部に露出したりするようなこともなくなり、フレーム装置全体の外観上の体裁もよくなる。
【発明を実施するための最良の形態】
【００１０】
以下、本発明の実施の形態を図面に基づいて説明する。図１及び図２において、１は装飾用フレーム装置で、複数（図例では４個）のフレームユニット２を順次接続してなる。
図１〜図４に示すように、装飾用フレーム装置１の各フレームユニット２は、四角形（多角形）を形成するように互いに離間して平行に配置される４本（複数）のフレーム棒材４と、複数のフレーム棒材４の両端に設けられる一対の接続枠体５とを備える。装飾用フレーム装置１の両端部に化粧用枠体６が設けられている。
図５及び図６に示すように、各フレームユニット２の複数のフレーム棒材４は、押し出し成形によりアルミ等によって内部が中空な内外二重の筒状に形成され、円筒状の外筒体７と角筒状の内筒体８とこれら連結する連結壁９とを有している。各フレーム棒材４の両端部に、棒材長手方向のタッピング孔１１がそれぞれ設けられている。
【００１１】
図７〜図１０に示すように、各フレームユニット２の一対の接続枠体５は、アルミ等によるダイキャストや合成樹脂等によって方形の枠状に形成され、各フレーム棒材４の端部に図３及び図９に示す締結具１２によりそれぞれ連結固定されている。一対の接続枠体５は、内面５ａが円弧面となり外面５ｂが扁平面となように断面半円状に形成され、接続枠体５の４隅の角部にその内面５ａ側から円柱状に突出した取付用ボス部１０が設けられている。接続枠体５のフレーム棒材４連結部間に、該接続枠体５を図９及び図１３に示す締結具１３により隣合う他のフレームユニット２の接続枠体５に接合するための取付孔部１４が設けられている。
【００１２】
各接続枠体５の取付用ボス部１０（４隅の角部）に、複数のフレーム棒材４のタッピング孔１１に対応して複数の取付孔１６が設けられ、接続枠体５（取付用ボス部１０）の外面５ｂ側に、前記複数の取付孔１６に対応して該取付孔１６に連通する嵌合凹部１７が設けられている。
接続枠体５をフレーム棒材４の端部に連結固定するための前記締結具１２は、本実施の形態ではタッピングねじ１５により構成され、タッピングねじ１５を取付孔１６を介して接続枠体５に挿通すると共にフレーム棒材４のタッピング孔１１に螺合して締め付けることにより、接続枠体５と複数のフレーム棒材４とが連結固定され、前記タッピングねじ１５の頭部１５ａが接続枠体５の外面から突出しないように嵌合凹部１７に嵌合されている。複数のフレームユニット２の接続枠体５同士を、前記取付孔部１４を利用して締結具１３により締め付け固定することにより、隣合うフレームユニット２の接続枠体５同士は図９に示す如く両者の断面が円形になるように接合固定され、これにより、複数のフレームユニット２が順次接続されている。
【００１３】
図１１〜図１４に示すように、一対の化粧用枠体６は、前記接続枠体５と同様にアルミ等によるダイキャストや合成樹脂等によって方形の枠状に形成されている。また、一対の化粧用枠体６は、外面６ｂが円弧面となり内面６ａが扁平面となように断面半円状に形成され、化粧用枠体６に、接続枠体５の取付孔部１４に対応してフレームユニット２の接続枠体５に前記締結具１３により接合固定するための取付孔部２４が設けられ、順次接続された複数のフレームユニット２のうち両端のフレームユニット２の外端部の接続枠体５に、化粧用枠体６が前記取付孔部１４，２４を利用して締結具１３により締め付け固定され、これにより接続枠体５と化粧用枠体６とは図１３に示す如く両者の断面が円形になるように接合固定されている。
【００１４】
前記接続枠体５同士又は接続枠体５と化粧用枠体６とを接合固定するための締結具１３は、本実施の形態では頭部１８ａに六角凹部１９を有する六角ボルト１８と該六角ボルト１８に螺合する六角ナット２０とで構成され、前記フレームユニット２の一対の接続枠体５の取付孔部１４は、接続枠体５に貫通形成した取付孔２２と接続枠体５の内面５ａ側に取付孔２２に連通するように設けた嵌合凹部２３とで構成され、嵌合凹部２３に、六角ボルト１８の頭部１８ａ又は六角ナット２０を収納保持するようにしている。
前記一対の化粧用枠体６の取付孔部２４は、化粧用枠体６に貫通形成した取付孔２５と化粧用枠体６の外面６ｂ側に取付孔２５に連通するように設けた嵌合凹部２６とで構成され、嵌合凹部２６に、六角ボルト１８の頭部１８ａ又は六角ナット２０を収納保持するようにしている。
【００１５】
なお、接続枠体５の外面５ｂ及び化粧用枠体６の内面６ａに多数の凹部を設け、これにより、接続枠体５、化粧用枠体６乃至フレームユニット２の軽量化を図ると共に、フレームユニット２の構成材料の節約を図るようにしてもよい。
上記実施の形態によれば、フレームユニット２を組み立てる場合、一対の接続枠体５に４本のフレーム棒材４を締結具１２（タッピングねじ１５）によりタッピング孔１１及び取付孔１６を利用して連結固定すればよく、一対の接続枠体５と４本のフレーム棒材４とで直方体形状のフレームユニット２を簡単に形成することができる。この場合、フレームユニット２は、一対の接続枠体５間に４本のフレーム棒材４が挟持された状態になって、４本のフレーム棒材４は一対の接続枠体５によって強固に接続され、フレームユニット２は強固に保形される。また、複数のフレームユニット２は接続枠体５同士を接合して、締結具１３により取付孔部１４を利用して接合固定することにより、複数のフレームユニット２を順次接合固定して、長い装飾用フレーム装置１を簡単かつ確実に組み立てることができる。そして、その後は、順次接続された複数のフレームユニット２のうち両端のフレームユニット２の外端部の接続枠体５に、化粧用枠体６を取付孔部１４，２４を利用してボルトナット等の締結具１３により接合固定すればよい。
【００１６】
従って、作業現場等で装飾用フレーム装置１の組み立て作業を簡単になすことができると共に、フレーム棒材４同士の接続強度が高く、装飾用フレーム装置１全体の剛性が強くなる。しかも、フレーム棒材４と接続枠体５とを連結する締結具１２（タッピングねじ１５）は、接合された接続枠体５間に隠され、また、順次接続された複数のフレームユニット２のうち両端のフレームユニット２の外端部の接続枠体５に、化粧用枠体６がボルトナット等の締結具１３により接合固定されるため、装飾用フレーム装置１の外観上の体裁をよいものになし得る。さらに、接続枠体５同士を接合固定する六角ボルト１８の頭部１８ａと六角ナット２０とは、接続枠体５の嵌合凹部２３に嵌合されて、外部に突出することがなくなり、接続枠体５と化粧用枠体６とを接合固定する六角ボルト１８の頭部１８ａと六角ナット２０とは、接続枠体５及び化粧用枠体６の嵌合凹部２３，２６に嵌合されて、外部に突出することがなくなり、この点からも、装飾用フレーム装置１の外観上の体裁をよいものになし得る。
【００１７】
図１５〜図１９は他の実施形態を示し、そのうちの図１５及び図１６は装飾用フレーム装置１の全部又は一部を構成するコーナー用フレームユニットの構成を示している。図１５及び図１６において、コーナー用フレームユニット３１は、前記フレームユニット２と同様に、四角形（多角形）を形成するように互いに離間して平行に配置される４本（３本以上）のフレーム棒材４と、複数のフレーム棒材４の両端に設けられる一対の接続枠体５とを備える。
図１７に示すように、コーナー用フレームユニット３１のフレーム棒材４は、前記フレームユニット２のフレーム棒材４に比べて短く形成され、これにより、コーナー用フレームユニット３１は３辺が同一長さになる立方体形状に構成されている。その点は、前記図３に示すフレームユニット２のフレーム棒材４と同様の構成であり、押し出し成形によりアルミ等によって外筒体７と角筒状の内筒体８と連結壁９とを有する内部が中空な内外二重の筒状に形成され、各フレーム棒材４の両端部に、棒材長手方向のタッピング孔１１がそれぞれ設けられている。
【００１８】
また、コーナー用フレームユニット３１の接続枠体５は、前記フレームユニット２の一対の接続枠体５と同様の構成であって、ダイキャストによりアルミ等によって方形の枠状に形成され、接続枠体５のフレーム棒材４連結部間に取付孔部１４が設けられ、フレーム棒材４のタッピング孔１１に対応して複数の取付孔１６が設けられ、接続枠体５の外面側に、取付孔１６に連通する嵌合凹部１７が設けられている。
また、フレームユニット２の場合と同様に、接続枠体５をフレーム棒材４の端部に連結固定するためのボルト等の締結具１２は、タッピングねじ１５により構成され、タッピングねじ１５を取付孔１６を介して接続枠体５に挿通すると共にフレーム棒材４のタッピング孔１１に螺合して締め付けることにより、接続枠体５と複数のフレーム棒材４とが連結固定されている。フレームユニット２の場合と同様に、コーナー用フレームユニット３１の接続枠体５同士を、取付孔部１４を利用して締結具１３（六角ボルト１８と六角ナット２０）により接合固定することにより、複数のフレームユニット３１を順次接続できるように構成されている。
【００１９】
このコーナー用フレームユニット３１を使用すれば、例えば、図１８に示すように、複数のフレームユニット２を接続したフレーム３４の端部に、取付孔部１４を利用して締結具１３（六角ボルト１８及び六角ナット２０）により、コーナー用フレームユニット３１を接続し、このコーナー用フレームユニット３１に、鎖線で示す如く前記第１フレーム３５に直交する方向に他の複数のフレームユニット２等を接続することにより構成した第２フレーム３５を、図示省略のクランプ等によって接続固定することにより、大きな構造の装着用フレーム装置１を構成することが可能になる。
【００２０】
なお、この複数のコーナー用フレームユニット３１を順次接続固定すると共に、両端部のコーナー用フレームユニット３１の接続枠体５に化粧用枠体６を接続固定することにより、複数のコーナー用フレームユニット３１で長い装飾用フレーム装置１を構成するようにしてもよいし、また、１のコーナー用フレームユニット３１の一対の接続枠体５にそれぞれ化粧用枠体６を接合固定することにより、１つのコーナー用フレームユニット１と一対の化粧用枠体６により、１の装飾用フレーム装置を形成するようにしてもよい。また、コーナー用フレームユニット３１をフランジタイプのものにしてもよく、このようにすれば、接続具１３によりフレームを直交方向に接続することも可能になる。
【００２１】
図１９〜図２３は他の実施形態を示し、各フレーユニット２のフレーム棒材４を互いに平行となるように円弧状に湾曲させ、各フレームユニット２の４本のフレーム棒材４のうち、湾曲した内側の２本のフレーム棒材４を外側の２本のフレーム棒材４に比べてやや短く形成している。これにより、複数のフレームユニット２を順次接続してなる装飾用フレーム装置１を円弧状に湾曲させるようにしたものである。その他の点は、前記図１〜図１４の実施形態の場合と同様の構成である。なお、図１９〜図２３の実施形態の場合、図示省略しているが、複数のフレームユニット２を順次接続固定した両端部のフレームユニット２の接続枠体５に化粧用枠体６を接続固定するようにしてもよいことは勿論である。また、円弧状のフレームユニット２同士を軸回転させた方向に接続固定することにより、三次元に円弧状に湾曲した装飾用フレーム装置１を構成することができる。
【００２２】
なお、前記実施の形態によれば、接続枠体５をフレーム棒材４の端部に連結固定するための締結具１２を、タッピングねじ１５により構成しているが、接続枠体５をフレーム棒材４の端部に連結固定するための締結具１２はタッピングねじ１５に限定されず、締結ボルトその他により構成するようにしてもよい。締結具１２を締付ボルトにより構成した場合、例えば、複数のフレーム棒材４の両端部にねじ孔を棒材長手方向にそれぞれ設け、締付ボルトを取付孔１６を介して接続枠体５に挿通すると共にフレーム棒材４のねじ孔に螺合して締め付けることにより、接続枠体５と複数のフレーム棒材４とが連結固定するようにすればよい。
【００２３】
また、前記実施の形態によれば、フレームユニット２の接続枠体５を他のフレームユニット２の接続枠体５に接合するための締結具１３を、頭部１８ａに六角凹部１９を有する六角ボルト１８と該六角ボルト１８に螺合する六角ナット２０とで構成しているが、締結具１３は、このような六角ボルト１８及び六角ナット２０に限定されず、他の形状のボルトナットその他により構成するようにしてもよい。
また、前記実施の形態では、フレームユニット２のフレーム棒材４を４本設け、これらを四角形を形成するように互いに離間して平行に配置しているが、これに代え、フレームユニット２のフレーム棒材４を３本設け、これらを三角形を形成するように互いに離間して平行に配置するようにしてもよいし、フレームユニット２のフレーム棒材４を５本以上設け、これらを多角形を形成するように互いに離間して平行に配置するようにしてもよい。さらに、フレームユニット２のフレーム棒材４を２本設け、これらを互いに離間して平行に配置するようにして、平形のフレームユニット２を構成するようにしてもよい
また、前記実施の形態では、フレームユニット２の複数のフレーム棒材４は、直線状に形成され又はが互いに平行に円弧状に湾曲されているが、これに代え、フレームユニット２の複数のフレーム棒材４を波形その他に湾曲するようにしてもよい。
【００２４】
また、前記実施の形態では、フレームユニット２又はコーナー用フレームユニット３１のフレーム棒材４は、内部が中空な内外二重の筒状に形成されているが、フレーム棒材４は筒状のものに限定されず、中実な丸棒状又は角棒状に形成してもよい。
【図面の簡単な説明】
【００２５】
【図１】本発明の一実施の形態を示す装飾用フレーム装置の正面図である。
【図２】同装飾用フレーム装置の側面図である。
【図３】同フレームユニットの正面図である。
【図４】同フレームユニットの側面図である。
【図５】同フレームユニットのフレーム棒材の正面図である。
【図６】同フレームユニットのフレーム棒材の側面図である。
【図７】同フレームユニットの接続枠体の正面図である。
【図８】同フレームユニットの接続枠体の側面図である。
【図９】同図７のＡ−Ａ線断面図である。
【図１０】同フレームユニットの一対の接続枠体の斜視図である。
【図１１】同化粧枠体の正面図である。
【図１２】同化粧枠体の側面図である。
【図１３】同１１図のＢ−Ｂ線断面図である。
【図１４】同一対の化粧枠体の斜視図である。
【図１５】他の実施形態を示すコーナー用フレームユニットの正面図である。
【図１６】同コーナー用フレームユニットの側面図である。
【図１７】同コーナー用フレームユニットのフレーム棒材の正面図である。
【図１８】同コーナー用フレームユニットを利用して構成した装飾用フレーム装置の正面図である。
【図１９】他の実施形態を示す装飾用フレーム装置の正面図である。
【図２０】同装飾用フレーム装置の側面図である。
【図２１】同フレームユニットの正面図である。
【図２２】同フレームユニットの側面図である。
【図２３】同フレームユニットのフレーム棒材の正面図である。
【符号の説明】
【００２６】
１      装飾用フレーム装置
２      フレームユニット
４      フレーム棒材
５      接続枠体
６      化粧用枠体
１１      タッピング孔
１２      締結具
１３      締結具
１４      取付孔部
１５      タッピングねじ
１５ａ    頭部
１６      取付孔
１７      嵌合凹部
１８      六角ボルト
１８ａ    頭部
１９      六角凹部
２０      六角ナット
２２      取付孔
２３      嵌合凹部
【図１】
2008064235.tif 000003
【図２】
2008064235.tif 000004
【図３】
2008064235.tif 000005
【図４】
2008064235.tif 000006
【図５】
2008064235.tif 000007
【図６】
2008064235.tif 000008
【図７】
2008064235.tif 000009
【図８】
2008064235.tif 000010
【図９】
2008064235.tif 000011
【図１０】
2008064235.tif 000012
【図１１】
2008064235.tif 000013
【図１２】
2008064235.tif 000014
【図１３】
2008064235.tif 000015
【図１４】
2008064235.tif 000016
【図１５】
2008064235.tif 000017
【図１６】
2008064235.tif 000018
【図１７】
2008064235.tif 000019
【図１８】
2008064235.tif 000020
【図１９】
2008064235.tif 000021
【図２０】
2008064235.tif 000022
【図２１】
2008064235.tif 000023
【図２２】
2008064235.tif 000024
【図２３】
2008064235.tif 000025